(57)【要約】【課題】コネクタ嵌合の際に、確実なクリック感を得るプラグコネクタを提供することを課題とする。【解決手段】プラグコネクタ１０のハウジング２０は正面部の後部からレセプタクルコネクタに向けた前方へ延びる弾性腕部２３を有し、弾性腕部にレセプタクルコネクタと係止するためのロック部２６Ａが設けられ、弾性腕部２３と背面部に形成された被圧部３１Ａとを挟圧する操作力を加えてロックを解除するプラグコネクタにおいて、弾性腕部２３は前方へ向けて正面部から離れるように傾く斜面部２５を有し、斜面部２５の前部が操作力を受ける被操作部２５Ａを形成し、ハウジング２０は、前後方向で正面部の後部で弾性腕部の両側に位置する部分に正面部から弾性腕部の弾性変形方向に突出する正面突部２８が設けられており、正面突部の突出頂部２８Ａは前後方向で正面突部と同位置での斜面部と比し同一位置もしくは突出して位置している。【選択図】図１
2011124071.tif 000002
【特許請求の範囲】
【請求項１】
相手方たるレセプタクルコネクタへ嵌合されるプラグコネクタであって、該プラグコネクタのハウジングが嵌合方向に延び互いに対向する面をなす正面部と背面部とを有し、該ハウジングは該正面部の後部からレセプタクルコネクタに向けた前方へ延びて前端を自由端とする弾性腕部を有し、該弾性腕部にレセプタクルコネクタと係止するためのロック部が設けられ、上記弾性腕部と背面部に形成された被圧部とを挟圧する操作力を加えて該弾性腕部を背面部側に向けて弾性変形させて上記ロック部のレセプタクルコネクタとのロックを解除するプラグコネクタにおいて、
弾性腕部は前方へ向けて該正面部から離れるように傾く斜面部を有し、該斜面部の前部が上記操作力を受ける被操作部を形成し、ハウジングは、前後方向で上記正面部の後部で上記弾性腕部の両側に位置する部分に該正面部から該弾性腕部の弾性変形方向に突出する正面突部が設けられており、該正面突部の突出頂部は前後方向で該正面突部と同位置での斜面部と比し同一位置もしくは突出して位置していることを特徴とするプラグ電気コネクタ。
【請求項２】
弾性腕部の被操作部は、正面突部の突出方向で、該正面突部の突出頂部と比し同一位置もしくは突出した位置にあることとする請求項１に記載のプラグ電気コネクタ。
【請求項３】
ハウジングは背面部の後部に該背面部から突出する背面突部が設けられ、該背面突部に被圧部が形成されていることとする請求項１に記載のプラグ電気コネクタ。
【請求項４】
背面突部は前後方向で正面突部と重複範囲をもつ位置に設けられていることとする請求項３に記載のプラグ電気コネクタ。
【請求項５】
正面突部は、突出頂部を有する部分が弾性腕部に向けて折曲形成されていることとする請求項１、請求項２そして請求項４のうちの一つに記載のプラグ電気コネクタ。
【請求項６】
正面突部と背面突部の後面に、プラグコネクタをレセプタクルコネクタに嵌合させる際に、前方へ向けた押込み力を受ける押込み面が形成されていることとする請求項１又は請求項４に記載のプラグ電気コネクタ。
【発明の詳細な説明】
【技術分野】
【０００１】
本発明は、相手方たるレセプタクルコネクタとの嵌合時に互いにロックするロック部を有する弾性腕部がハウジングに設けられているプラグ電気コネクタに関する。
【背景技術】
【０００２】
この種のプラグコネクタとしては、特許文献１に開示されているコネクタが知られている。このプラグコネクタは、相手方たるレセプタクルコネクタへの嵌合方向に対し直角方向にケーブルが延出するように結線されている。該プラグコネクタは、上記ケーブルの両側に位置するハウジングの側面からレセプタクルコネクタとの嵌合方向に延びる弾性腕部を有している。該弾性腕部は、突起状のロック部を有していると共に、操作力を受けて上記ハウジングの側面の方へ弾性撓み可能となっている。
【０００３】
かかる特許文献１のプラグコネクタは、レセプタクルコネクタとの嵌合時には、該プラグコネクタを嵌合方向へ圧すると、上記ロック部がレセプタクルコネクタの対応ロック部に当接して反力を受け、該反力によって上記弾性腕部が弾性変形を生じて、さらなる嵌合方向での移動が可能となり、該ロック部が対応ロック部を乗り越える位置まで移動すると上記弾性変形が解除されて、対応ロック部とのロックがなされる。クリック感を得られてロックされたことを確認できる。レセプタクルコネクタからの抜出時には、上記弾性腕部に操作力を加えて、該弾性腕部を弾性変形させて、ロック部と対応ロック部とのロックを解除して、その状態のままプラグコネクタを抜出する。
【先行技術文献】
【特許文献】
【０００４】
【特許文献１】特開２００６−２６９１４１
【発明の概要】
【発明が解決しようとする課題】
【０００５】
特許文献１のプラグコネクタをレセプタクルコネクタへ嵌合する際、弾性腕部がロック部にて対応ロック部からの反力によって弾性撓み変形し、ロック部が対応ロック部を越えた瞬間に自動的に弾性撓みが急激に解除されるので、ロックされたことを確認できるクリック感を得る。
【０００６】
しかし、操作者は、弾性腕部の部位でプラグコネクタを摘んだ状態で嵌合操作をすることがある。すなわち、ロックがなされる前後で弾性腕部は操作力が加えられていて弾性撓み変形した状態となっている。したがって、ロック部が対応ロック部を越えた瞬間でも、操作力によって弾性腕部は弾性撓み変形している状態にあり、上記瞬間を過ぎてロックされたであろうことを操作者が確認してから操作力が解除される。しかも、その解除は、操作者が弾性腕部に触れることなく該弾性腕部が対応ロック部からの反力のみで弾性撓み変形している状態から自由状態へロック解除される正規の動作の場合に比し、ロック解除は急激とは言えない。したがって、上記ロックがなされた瞬間にクリック感を得られず、しかもクリック感が得られても十分とは言えない。
【０００７】
本発明は、コネクタの嵌合時に十分なクリック感を得られるプラグ電気コネクタを提供することを課題とする。
【課題を解決するための手段】
【０００８】
本発明に係るプラグ電気コネクタは、相手方たるレセプタクルコネクタへ嵌合されるプラグコネクタであって、該プラグコネクタのハウジングが嵌合方向に延び互いに対向する面をなす正面部と背面部とを有し、該ハウジングは該正面部の後部からレセプタクルコネクタに向けた前方へ延びて前端を自由端とする弾性腕部を有し、該弾性腕部にレセプタクルコネクタと係止するためのロック部が設けられ、上記弾性腕部と背面部に形成された被圧部とを挟圧する操作力を加えて該弾性腕部を背面部側に向けて弾性変形させて上記ロック部のレセプタクルコネクタとのロックを解除する。
【０００９】
かかるプラグコネクタにおいて、本発明では、弾性腕部は前方へ向けて該正面部から離れるように傾く斜面部を有し、該斜面部の前部が上記操作力を受ける被操作部を形成し、ハウジングは、前後方向で上記正面部の後部で上記弾性腕部の両側に位置する部分に該正面部から該弾性腕部の弾性変形方向に突出する正面突部が設けられており、該正面突部の突出頂部は前後方向で該正面突部と同位置での斜面部と比し同一位置もしくは突出して位置していることを特徴としている。
【００１０】
プラグコネクタをレセプタクルコネクタへ嵌合操作する際に、該プラグコネクタを指で摘み易い部位は、嵌合方向とは反対側の後部、すなわち、操作者側に近く位置していて良く見える部位である。本発明のプラグコネクタでは、レセプタクルコネクタとのロックを解除するために用いられる斜面部が形成されている弾性腕部を有している該プラグコネクタの正面部の後部には、該弾性腕部の両側に正面突部が設けられている。そして、その正面突部の突出頂部は前後方向で同一位置の上記斜面部と比し同一位置もしくは突出して位置している。したがって、操作者は、嵌合操作の際に、正面部と背面部のそれぞれの後部を指で摘んでも、正面突部を圧するだけで、弾性腕部の斜面部を圧することはない。すなわち、弾性腕部は弾性変形しないまま嵌合操作され、ロック部が相手コネクタたるレセプタクルコネクタの対応部に当接して初めてその反力により弾性変形し、ロック部が上記対応部を乗り越えそして通過した瞬間に弾性変形が解除される。その際も、弾性腕部は指で圧せられていないので、この弾性変形の解除は急激になされる。その結果、操作者は、十分なクリック感が得られる。
【００１１】
上記プラグコネクタをレセプタクルコネクタから抜出する際には、弾性腕部を指で圧して弾性変形させ、ロックを解除させねばならない。抜出時には、操作者は、抜出することを十分に意識している訳であるから、前後方向で、最も摘み易い部位である後部を摘む必要はない。弾性腕部は前部に被操作部が形成されており、その側方には上記正面突部は存在していないので、操作者はこの被操作部と背面部とでプラグコネクタを容易に摘むことができ、その力で弾性腕部を弾性変形させてロック解除したまま抜出がなされる。
【００１２】
本発明において、弾性腕部の被操作部は、正面突部の突出方向で、該正面突部の突出頂部と比し同一位置もしくは突出した位置にあることが好ましい。前後方向で上記被操作部に対応する位置では該被操作部の側方に正面突部が存在していないので、該被操作部がどの位突出しているかは然程問題とならないが、突出量が大きい方が操作し易いことは確かであり、正面突部の突出頂部と比し同一位置もしくはそれよりも突出していることが、さらに操作し易くする。
【００１３】
本発明において、ハウジングは背面部の後部に該背面部から突出する背面突部が設けられ、該背面突部に被圧部が形成されていることが好ましい。上記背面突部を設けることにより、指でプラグコネクタを摘むときに、背面部でも指が該背面部を圧する位置が該背面突部に定まるようになり、操作位置が、そして操作自体が安定し容易となる。その際、上記背面突部は前後方向で正面突部と重複範囲をもつ位置に設けられていることが好ましい。こうすることで正面突部と背面突部は前後方向でほぼ同じ位置でコネクタ嵌合の際の摘み操作が行われることとなり、操作し易くなる。
【００１４】
本発明において、正面突部は、突出頂部を有する部分が弾性腕部に向けて折曲形成されていることが好ましい。このように折曲形成することで、正面突部の突出頂部は、弾性腕部に対してきわめて近い位置まで及ぶこととなり、嵌合操作時に上記突出頂部を指で強く圧しても、指の表面が両側の突出頂部の間から入り込んで弾性腕部を圧してしまうという可能性が低くなる。
【００１５】
さらに、本発明では、正面突部と背面突部の後面に、プラグコネクタをレセプタクルコネクタに嵌合させる際に、前方へ向けた押込み力を受ける押込み面が形成されていることが好ましい。上記押込み面が形成されていると、嵌合操作時のレセプタクルコネクタに対する前方への押込み力が加え易いと共に、他部を押さずに、最も効果的な位置での押込み力の印加を可能とする。
【発明の効果】
【００１６】
本発明は、以上のごとく、プラグコネクタを相手方たるレセプタクルコネクタへの嵌合の際に、前後方向で、該プラグコネクタを最も摘み易い部位をなすハウジングの後部に、弾性腕部の両側で該弾性腕部の後部よりも突出する正面突部を設けたので、嵌合時に該ハウジングを正面部と背面部とで摘んでも、上記正面突部を圧するだけで弾性腕部は力を受けずに弾性変形しないまま嵌合が進んで、ロック部が対応ロック部と当接するときに、ロック部が対応ロック部から反力を受けて弾性変形し、ロック部が対応ロック部を越えた直後に、自ずと弾性変形が急激に解除され、確実かつ十分なクリック感を得るようになる。
【図面の簡単な説明】
【００１７】
【図１】本発明の一実施形態のプラグコネクタとレセプタクルコネクタの正面側かつ後面側から見た斜視図である。
【図２】図１のプラグコネクタの背面側かつ前面側から見た斜視図である。
【図３】図１の両コネクタの断面図である。
【発明を実施するための形態】
【００１８】
以下、添付図面にもとづき、本発明の一実施形態を説明する。
【００１９】
図１は本実施形態のプラグコネクタ１０とこれの相手方であるレセプタクルコネクタ４０の嵌合前における正面側かつ後面側（上面側）から見た斜視図、図２は図１のプラグコネクタ１０の背面側かつ前面側（下面側）から見た斜視図、図３は図１の嵌合前の両コネクタ１０，４０の図１におけるIII−III線断面図であり、プラグコネクタ１０に関してはケーブル付き端子を省略して示してある。なお、図において嵌合方向たる下方を前方とし、上方を後方としている。
【００２０】
図において、プラグコネクタ１０は、ケーブルＣが結線された端子１１が、ハウジング２０の後面に開口し前方へ向け延びる端子孔２１へ挿着されている。本実施形態では、二つの端子孔２１が形成されていて、それぞれの端子孔２１へ上記端子１１が挿着されていて、ケーブルＣは後方（上方）へ延出している。
【００２１】
ハウジング２０は電気絶縁材料で作られており、外形が略直方体で一部に凸状部分を有する形をなしている。該ハウジング２０は、図３に見られるように、後方に開口し前壁（底壁）近傍まで延びる端子孔２１の背面部側（図３にて右側）に、一部をＵ字状に切り込んで、前方へ延びるランス２２が設けられていて、該ランス２２がその先端２２Ａで端子１１の一部に係止して該端子１１（図３では端子１１の図示を省略）の抜けを防止している（図２参照）。
【００２２】
ハウジング２０は上記背面部側とは反対側の正面部側に、正面部の後部に基部を有し前方へ延びる弾性腕部２３が設けられている。該弾性腕部２３は、内面２４（図３にて右側面）がほぼ垂直に延び、外面（図３にて左側面）が前方へ向うにつれて次第に左方へ突出量を大きくして延びる斜面部２５を形成している。該弾性腕部２３は、図１に見られるように、後端から前端近くにわたり、幅方向中央部分が内外面に貫通するようにくり抜き部２３Ａが形成されていて、全長にわたる弾性撓みし易くなっている。前端部は、くり抜かれておらず、斜面部２５に平坦面をなし被操作部２５Ａを形成している。
【００２３】
上記弾性腕部２３は、その両側面の背面部寄り縁部に後端から前端まで延びる突条部２６が設けられていて、その前端外面側に鉤状のロック部２６Ａを有している。
【００２４】
さらに、上記ハウジング２０は、上記弾性腕部２３の後端における基部の両側位置から正面方向（図１にて左下方向）へ突出する突出腕部２７が設けられている。該突出腕部２７は剛性が高く作られており、突出方向（図３にて左方）先端側が上記弾性腕部２３の方へ向けＬ字状に屈曲形成されている（図１，２参照）。この先端側の部分は、プラグコネクタ１０の嵌合操作のときに該プラグコネクタ１０を摘むための一方の部分となる正面突部２８を形成している。この正面突部２８の最も突出して位置する面である突出頂部２８Ａは、プラグコネクタを摘むときに一方の指で圧せられる面として機能する。この機能を確保するために、該突出頂部２８Ａは、前後方向において該突出頂部２８Ａに対応する上記弾性腕部２３の斜面部２５の部分２５Ｂよりも、図３において左方に突出して位置している。上記弾性腕部２３の両側に位置する上記突出頂部２８Ａが弾性腕部２３の側面と対向する面は、該弾性腕部２３との間に間隙を形成して該弾性腕部２３といかなる場合でも非接触であることが前提で、なるべく該弾性腕部２３に近く位置していることが好ましい。
【００２５】
弾性腕部２３の斜面部２５の前端部に形成された被操作部２５Ａ（この被操作部２５Ａでは、それより後方の部分よりも傾斜が緩くなっている）は、前後方向で上記突出頂部２８Ａより前方に位置し、図３にて左右方向では、該突出頂部２８Ａとほぼ同じ位置にあるが、若干左方へ突出して位置することとしてもよい。
【００２６】
上記正面突部２８を形成する突出腕部２７は、後面（図にて上面）が平坦な面を形成しており、コネクタ嵌合時に該プラグコネクタ１０を嵌合方向たる前方へ押すための押込み面２９の部分２９Ａを形成している。
【００２７】
上記ハウジング２０は、その背面側に、前後に延び側方へ向けた張出部３０を有している。該張出部３０はその上面が上記押込み面２９の他の部分２９Ｂを形成している。また、上記ハウジング２０は、背面側の壁部に、図２から明らかなように、ランス２２を形成するための切欠き溝部３０Ａが形成され、また後述する相手方たるレセプタクルコネクタ４０の板状の端子４８の接触部４８Ａが進入することを許容する端子溝３０Ｂが上記ランスのための切欠き溝部３０Ａと連通しかつ下方に開放されて形成されていて、背面側の壁部の強度が低下する可能性がある（図２参照）ので、上記張出部３０はハウジングのこの背面側の壁部の強度確保の意味もある。
【００２８】
さらに、上記ハウジング２０は、背面後部にて突出する背面突部３１を有している。この背面突部３１は、プラグコネクタ１０のレセプタクルコネクタ４０への嵌合の際に操作者の指で摘まれる際に、一方の指で圧せられる既述の正面突部２８の突出頂部２８Ａと協働して、プラグコネクタ１０を摘む際に、他方の指により圧せられる面をなす被圧部３１Ａを有している（図２参照）。この背面突部３１は、その上面が上記張出部３０の上面と連続した同一レベル面をなしていて、張出部３０の上面と同様に押込み面２９のさらに他の部分２９Ｃを形成している（図１参照）。上記背面突部３１は、前後方向で正面突部２８と同一位置であることが好ましいがこれに限定されるものではなく、同方向で正面突部２８と重複範囲をもって形成されていればよい。
【００２９】
これに対し、上記プラグコネクタ１０が嵌合されるレセプタクルコネクタ４０は、該プラグコネクタ１０のための受入凹部４２を形成するハウジング４１と、該ハウジング４１に保持された後述の端子４８とを有している。
【００３０】
上記ハウジング４１は、電気絶縁材料で作られており、上記受入凹部４２へプラグコネクタ１０が嵌合されたときに、正面側では突出腕部２７と弾性腕部２３の前端部たる被操作部２５Ａが、そして背面側では背面突部３１の被圧部３１Ａが、それぞれ上記ハウジング４１外に位置するように形成されている。
【００３１】
ハウジング４１の受入凹部４２は開口部４３を経て正面側に開口されており、該開口部４３は後方（上方）にも開口されている。上記ハウジング４１は、正面側で、プラグコネクタ１０の突出腕部２７に相当する域が階段状に上面が低く形成されており、第一段部４４とそれより低い第二段部４５を有している。第一段部４４の段差は、上記突出腕部２７の前後方向寸法とほぼ等しく、該突出腕部２７の基部側を収めるようになっている。第一段部４４よりも低い第二段部４５は、上記突出腕部２７の先端側である正面突部２８との間に間隔をもって位置し、この間隔の存在により、上記正面突部２８の面である突出頂部２８Ａの指での押圧に支障をきたすことなく押圧を容易としている。
【００３２】
前後方向で第二段部４５に相当する位置で、上記開口部４３の対向内面には互いに近づくロック腕部４６が設けられ、図３に見られるように、該ロック腕部４６の後面（上面）そして前面（下面）が共に上記開口部４３の内方そして下方を向くように傾斜していて、プラグコネクタ１０がレセプタクルコネクタ４０へ嵌合される際に、後面で該プラグコネクタ１０のロック部２６Ａを案内し、嵌合直後に前面で該ロック部２６Ａと確実に係止するようになっている。嵌合完了時には、プラグコネクタ１０の弾性腕部２３の前部に形成された被操作部２５Ａが上記ロック腕部４６の前方（下方）に位置して、レセプタクルコネクタ４０の正面よりも大きく突出する。
【００３３】
上記レセプタクルコネクタ４０のハウジング４１の背面側壁には後方に開放された凹部４７が形成されていて、プラグコネクタ１０の嵌合時には、前後方向でプラグコネクタ１０の背面突部３１を受け入れ、かつ該背面突部３１が背面側で大きく突出するようになっている。
【００３４】
上記ハウジング４１は端子４８を保持している。該端子４８は、金属板を打ち抜いて作られていて、ハウジング４１の受入凹部４２内で平板状をなす接触部４８Ａと、ハウジング４１の底面から突出し横方向に屈曲され基板への接続部４８Ｂとを有している（図３参照）。上記接触部４８Ａはプラグコネクタ１０の端子溝３０Ｂへ進入して該プラグコネクタ１０の弾性を有する端子１１と接触する。また、ハウジング４１の側壁には前後方向に貫通した孔５０が形成されており、この孔５０には実装金具４９が設けられていて、基板に半田実装されるようになっている。
【００３５】
次に、かかる本実施形態のプラグコネクタについての使用要領そして動作原理を説明する。
【００３６】
（１）先ず、ケーブル付端子が挿着されたプラグコネクタ１０を、すでに回路基板（図示せず）に取り付けられたレセプタクルコネクタ４０の上方位置へ、図１そして図３に見られるようにもたらす。しかる後、そのまま上記プラグコネクタ１０を降下させ、上記レセプタクルコネクタ４０の受入凹部４２への嵌合を開始させる。その際、嵌合操作する操作者は二つの指で上記プラグコネクタ１０を摘むこととなるが、一方の指は正面突部２８の突出頂部２８Ａの面、そして他方の指が背面突部３１の被圧部３１Ａの面に掛けられて、両面間で挟圧される。上記正面突部２８は、背面突部３１と同様に、プラグコネクタ１０の最後部すなわち最上位にあり操作者にとって最も見易く摘み易い位置にある。したがって、操作者はコネクタの嵌合操作に際して、正面突部２８と背面突部３１とを摘むこととなり、正面部側では操作者の一方の指は、弾性腕部２３に触れることなく正面突部２８に指を掛けるようになる。仮に、操作者の指が該正面突部２８と同時に弾性腕部２３にも触れることがあっても、指は正面突部２８の突出頂部２８Ａに規制されて該弾性腕部２３にはほとんど押圧力をもたらすことなく、作用せず、該弾性腕部２３は弾性変形せずに、原形の自由状態を維持する。
【００３７】
（２）かかる状態で、プラグコネクタ１０は、そのロック部２６Ａがレセプタクルコネクタ４０のロック腕部４６に当接するまで、難なく受入凹部４２内へ進入する。
【００３８】
（３）上記プラグコネクタ１０のロック部２６Ａがレセプタクルコネクタ４０のロック腕部４６に当接するまでは、操作者の指は弾性腕部２３に触れておらず、仮に正面突部２８と共に触れていても、該弾性腕部２３は上述の理由で押圧力を受けていないので、何ら弾性変形していない。この当接後、操作者は指でプラグコネクタ１０の後面となる押込み面２９へ前方（下方）に向け押込み力を加える。この押込み力を受けると、プラグコネクタ１０の弾性腕部２３は、上記ロック腕部４６からの反力を受けて初めて背面部方向へ弾性撓み変形を生じ、ロック部２６Ａが上記ロック腕部４６を乗り越えて該ロック腕部４６を通過する。ロック部２６Ａがロック腕部４６を通過した瞬間に、上記ロック腕部４６からの反力がなくなるので、上記弾性腕部２３は急激に原形へ向けその弾性変形量を減じ、突条部２６がロック腕部４６に衝突するので、操作者はここでロックが確実に行われたことを示すクリック感を得る。かくして、プラグコネクタ１０とレセプタクルコネクタ４０とがロックされて抜けが防止される。
【００３９】
（４）次に、操作者がプラグコネクタ１０をレセプタクルコネクタ４０から抜出したいときには、操作者の一方の指は正面突部２８の前方に位置する弾性腕部２３の被操作部２５Ａに、そして他方の指は背面突部３１の被圧部３１Ａにそれぞれ掛けられる。操作者はプラグコネクタ１０の抜出を意識して行う訳であるから、上記被操作部２５Ａが前後方向で被圧部３１Ａとずれた位置にあっても、然程離れていないので、確実にこの被操作部２５Ａを捕らえることができる。そして、被操作部２５Ａと被圧部３１Ａとでプラグコネクタ１０を摘んで、上記被操作部２５Ａを押して弾性腕部２３を弾性撓み変形させてロックを解除し、そのままプラグコネクタ１０を後方へもち上げて抜出する。
【符号の説明】
【００４０】
１０  プラグコネクタ                    ２８  正面突部
２０  ハウジング                        ２８Ａ  突出頂部
２３  弾性腕部                          ２９  押込み面
２５  斜面部                            ３１  背面突部
２５Ａ  被操作部                        ３１Ａ  被圧部
【図１】
2011124071.tif 000003
【図２】
2011124071.tif 000004
【図３】
2011124071.tif 000005